(57)【特許請求の範囲】
【請求項１】
矩形の底壁の端縁から端壁を起立させ、この端壁の側縁に内面が当接する外側壁を上記底壁の側縁から起立させ、この外側壁の上縁から頂壁を介して内側に内側壁を折り返して形成した、底壁と端壁と内側壁とに囲まれた被包装物品の嵌込凹所を有する箱体と、この箱体の嵌込凹所に嵌まる内底壁の側縁に、下方に折り曲げられて上記内側壁の内面に重なる重合側壁を連設し、上記内底壁の端縁に、上方に折り曲げられて上記端壁の内面に重なる重合端壁を連設し、この重合端壁の側縁に、外方へ折り曲げられて上記端壁に形成した挿入スリットから突出する補強片を連設した内底体とからなり、上記箱体と内底体が、上記頂壁の段目が上記外側壁及び内側壁と直交し、上記補強片の段目が上記挿入スリットから突出する状態で上記端壁と直交するように、それぞれ一枚の段ボールシートにより形成し、上記頂壁に、その段目に沿う方向の外力に対する強度を弱めるＶ字形の切込部を設けた包装用緩衝体。
【請求項２】
上記内側壁の両端部が、上記補強片と重なった状態で上記挿入スリットから外方へ突出するようにしたことを特徴とする請求項１に記載の包装用緩衝体。
【発明の詳細な説明】
【０００１】
【発明の属する技術分野】
この発明は、被包装物品の嵌込凹所を有する箱状に形成されており、この嵌込凹所に被包装物品の端部を嵌め込んだ状態で包装箱に収容されて被包装物品を衝撃から保護する緩衝体に関するものである。
【０００２】
【従来の技術】
従来より、このような緩衝体としては、登録実用新案公報第３００８１２９号に記載のものがあり、この緩衝体は、図６に示すように、それぞれ内外二重の底壁２６と側壁と端壁からなる箱体に形成されている。この包装用緩衝体２５の側壁は、頂壁２９と、この頂壁２９を介して折り返された、互いに間隔をあけて対向する外側壁２７及び内側壁２８とからなり、端壁は、側壁と同様に、頂壁３２と外端壁３０と内端壁３１とからなる。そして、この包装用緩衝体２５の嵌込凹所３３は、底壁２６と内側壁２８と内端壁３１とで囲まれることとなる。
【０００３】
この包装用緩衝体２５は、通常一対で使用され、それぞれの嵌込凹所３３に被包装物品の両端部が嵌め込まれた状態で包装箱に収容される。そして、緩衝体２５の外側壁２７及び内側壁２８と外端壁３０及び内端壁３１とが、それぞれの頂壁２９、３２で保持されている空間により外方からの衝撃を緩和するので、被包装物品が保護されることとなる。
【０００４】
【発明が解決しようとする課題】
ところが、このような緩衝体２５は、通常一枚の段ボールシートにより形成されるので、側壁と端壁とのそれぞれの頂壁２９、３２における段目が互いに平行となる。したがって、頂壁２９、３２の強度は、その段目が端壁と平行ならば、側壁から受ける外力に対しては高く、端壁から受ける外力に対しては低くなり、また、頂壁２９、３２の段目が側壁と平行ならば、端壁から受ける外力に対しては高く、側壁から受ける外力に対しては低くなる。このため、側壁側と端壁側からの衝撃をともに確実に緩和する緩衝体を段ボールシートにより形成することは困難で、環境的に良くない発泡スチロール等を使用しなければならない、という問題がある。
【０００５】
また、頂壁２９、３２の外力に対する強度は、緩衝体２５の緩衝能力に直接関係し、高すぎると被包装物品への衝撃があまり吸収されないし、低すぎると頂壁２９、３２が潰れて衝撃が被包装物品に直接伝わる。このため、緩衝力をより高めるためには、頂壁は適度な強度に設定されるとよい。
【０００６】
そこで、この発明は、側壁側と端壁側からの衝撃をともに確実に緩和する緩衝体を段ボールシートにより形成することを課題とする。
【０００７】
【課題を解決するための手段】
上記の課題を解決するために、この発明は、矩形の底壁の端縁から端壁を起立させ、この端壁の側縁に内面が当接する外側壁を上記底壁の側縁から起立させ、この外側壁の上縁から頂壁を介して内側に内側壁を折り返して形成した、底壁と端壁と内側壁とに囲まれた被包装物品の嵌込凹所を有する箱体と、この箱体の嵌込凹所に嵌まる内底壁の側縁に、下方に折り曲げられて上記内側壁の内面に重なる重合側壁を連設し、上記内底壁の端縁に、上方に折り曲げられて上記端壁の内面に重なる重合端壁を連設し、この重合端壁の側縁に、外方へ折り曲げられて上記端壁に形成した挿入スリットから突出する補強片を連設した内底体とからなり、上記箱体と内底体が、上記頂壁の段目が上記外側壁及び内側壁と直交し、上記補強片の段目が上記挿入スリットから突出する状態で上記端壁と直交するように、それぞれ一枚の段ボールシートにより形成して、包装用緩衝体を構成した。また、上記頂壁に、その段目に沿う方向の外力に対する強度を弱める切込部を設けてもよい。
【０００８】
さらに、内側壁の両側部を、補強片と重なった状態で挿入スリットから外方へ突出するようにしてもよい。
【０００９】
この発明に係る包装用緩衝体は、頂壁の段目が外側壁及び内側壁と直交すると共に、端壁から外方へ突出する補強片の段目が端壁と直交するので、頂壁と補強片が外力によりつぶれることがなく、側壁側と端壁側からの衝撃がともに確実に緩和される。また、頂壁にその段目に沿う方向の外力に対する強度を弱める切込部を設けると、外側壁又は内側壁からの外力に対して頂壁が適度な強度を有することとなるので、側壁側からの衝撃がより確実に緩和される。
【００１０】
【発明の実施の形態】
この発明に係る包装用緩衝体の実施の形態を、添付図面に基づいて説明する。図１に示す包装用緩衝体１は、被包装物品の端部が上方から嵌まる嵌込凹所４が形成された箱体２と、この箱体２の嵌込凹所４内に収容されて二重底を形成すると共に被包装物品の端面を受ける内底体３とからなり、箱体２と内底体３は、それぞれ一枚の段ボールシートの折り込みによって形成されている。
【００１１】
箱体２は、図１及び図２に示すように、矩形の底壁５と、この底壁５の側縁に順次連設された外側壁６、頂壁７、内側壁８及びスペーサー壁９と、上記底壁５の端縁に連設された端壁１０とからなり、嵌込凹所４は、底壁５と端壁１０と内側壁８とに囲まれている。
【００１２】
底壁５は、その中央部分に、貫孔１１が穿設されている。
【００１３】
外側壁６は、底壁５より幅広に形成され、起立状態で端壁１０の側縁に内面が当接するようになっている。また、外側壁６の両端部には、端壁１０の側縁に設けられた係止片１２を係止させる係止孔１３が穿設されている。
【００１４】
頂壁７は、外側壁６と同幅に形成されており、図１に示すように、段目が起立状態の外側壁６及び内側壁８と直交している。また、頂壁７には、その段目に沿う方向の外力に対する強度を弱めるために、Ｖ字形と円弧形の切込部１４、１５がそれぞれ設けられている。円弧形の切込部１５は、図１に示す組立状態においては、切り起こされて貫通孔１６を形成し、この貫通孔１６が衝撃の吸収力を一層高めている。
【００１５】
内側壁８は、図３に示すように、頂壁７を介して内側に折り返されて、外側壁６と間隔をあけて対向する。また、内側壁８の頂壁７との境目部分には、両側から切欠部１７が形成されており、この切欠部１７により、内側壁８の両端部が、端壁１０に形成した挿入スリット１８から外方へ突出することとなる。
【００１６】
スペーサー壁９は、頂壁７とほぼ同じ奥行きになるよう形成されており、図３に示すように、外方に折り曲げられ底壁５の内面に重ね合わされた状態で、外側壁６の内面に当接して外側壁６と内側壁８の間隔を保持している。
【００１７】
端壁１０は、図１及び図２に示すように、先端縁に、互いに重なった状態で頂壁７の下面に当接する一対の重合片１９、１９が順次連設されている。
【００１８】
内底体３は、図１及び図４に示すように、箱体２の嵌込凹所４にぴったりと嵌まる形状寸法の内底壁２０と、この内底壁２０の側縁から下方に折り曲げられて上記箱体２の内側壁８の内面に重なる重合側壁２１と、上記内底壁２０の端縁から上方に折り曲げられて上記箱体２の端壁１０の内面に重なる重合端壁２２と、この重合端壁２２の側縁から外方へ折り曲げられて、図５に示すように上記内側壁８の両端部内面と重なり合った状態で上記端壁１０の挿入スリット１８から突出する補強片２３とからなる。
【００１９】
内底壁２０は、その中央を挟む一対の貫孔２４が穿設されており、重合側壁２１の先端が箱体２の底壁５の内面に当接することによって、底壁５から間隔をあけて位置して緩衝体１の衝撃吸収用の二重底を形成している。
【００２０】
重合側壁２１は、その段目が上記内側壁８と重なった状態で上下方向に延びており、被包装物品の重みに充分耐え得るようになっている。
【００２１】
また、補強片２３は、挿入スリット１８から突出する状態においては、図１及び図５に示すように、その段目が箱体２の端壁１０と直交しているので、緩衝体１は、端壁１０側からの外力に対する強度が高められることとなる。
【００２２】
この包装用緩衝体１は、図５に示すように、頂壁７が外側壁６及び内側壁８と直交する段目を備え、補強片２３が端壁１０と直交する段目を備えているので、側壁及び端壁部分の強度が充分確保されて側壁６、８側と端壁１０側からの衝撃がともに確実に緩和される。また、頂壁にその段目に沿う方向の外力に対する強度を弱める切込部１４、１５が設けられているので、頂壁７の強度が適度となって側壁６、８側からの外力が側壁６、８により効果的に吸収される。さらに、この包装用緩衝体１は、外側壁６及び内側壁８が端壁１０と平行な段目を備え、補強片２３が端壁１０と直交する段目を備えているので、端壁部分の強度が適度となって、端壁１０側からの外力が外側壁６及び内側壁８の両端部と補強片２３とにより受け止められて効果的に吸収される。
【００２３】
なお、図４に示す内底体３における、重合側壁２１の内底壁２０との境目部分（内底壁２０の側縁と、重合側壁２１の一点鎖線とで挟まれる部分）の中芯の波型を押し潰し、内底体３にいわゆる段潰しを施すと、包装用緩衝体１の緩衝性が向上する。このとき、重合端壁２２は、図５に示すように、箱体２の端壁１０の内面に重なった状態で、上記内側壁８の内面に重なる補強片２３が挿入スリット１８から外方へ突出しているので、段潰しによる内底壁２０の沈み込みを防止することとなる。
【００２４】
【効果】
この発明に係る包装用緩衝体は、側壁側及び端壁側からの外力をともに効果的に吸収できるので、衝撃を確実に緩和して被包装物品を保護することができる。また、この包装用緩衝体は、段ボールシートの折り込みにより形成されているので、廃棄による環境悪化の問題が発生しない。
【図面の簡単な説明】
【図１】この発明の包装用緩衝体の実施の一形態を示す分解斜視図
【図２】箱体の展開図
【図３】箱体の組立途中の斜視図
【図４】内底体の展開図
【図５】上記包装用緩衝体の斜視図
【図６】従来の包装用緩衝体の斜視図
【符号の説明】
１  包装用緩衝体
２  箱体
３  内底体
４、３３  嵌込凹所
５  底壁
６  外側壁
７  頂壁
８  内側壁
９  スペーサー壁
１０  端壁
１１、２４  貫孔
１２  係止片
１３  係止孔
１４、１５  切込部
１６  貫通孔
１７  切欠部
１８  挿入スリット
１９  重合片
２０  内底壁
２１  重合側壁
２２  重合端壁
２３  補強片
２５  従来の包装用緩衝体
２６  底壁
２７  外側壁
２８  内側壁
２９、３２  頂壁
３０  外端壁
３１  内端壁
【図１】
0003765612.tif 000002
【図２】
0003765612.tif 000003
【図３】
0003765612.tif 000004
【図４】
0003765612.tif 000005
【図５】
0003765612.tif 000006
【図６】
0003765612.tif 000007